【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
被検眼に対して測定光を走査する走査手段と、
前記走査手段の副走査方向における異なる位置の複数の主走査線のうち、前記被検眼に対して前記測定光が時間的に近接して照射される複数の主走査線の開始点の座標の平均が、前記副走査方向における略中心の座標と一致するように、前記走査手段を制御する制御手段と、
を有することを特徴とする眼科装置。
【請求項２】
前記制御手段による前記走査手段の制御中に前記測定光を照射した前記被検眼からの戻り光に基づいて、前記被検眼の画像を取得する画像取得手段を更に有することを特徴とする請求項１に記載の眼科装置。
【請求項３】
前記画像取得手段が、前記制御手段による前記走査手段の制御中に前記測定光を照射した前記被検眼からの戻り光と前記測定光に対応する参照光とを合波した合波光に基づいて、前記被検眼の断層画像を前記画像として取得することを特徴とする請求項２に記載の眼科装置。
【請求項４】
前記制御手段が、前記平均が前記略中心の座標と一致し且つ前記測定光が前記略中心に近づくように、前記走査手段を制御することを特徴とする請求項１乃至３のいずれか１項に記載の眼科装置。
【請求項５】
前記制御手段が、前記平均が前記略中心の座標と一致し且つ前記測定光が前記副走査方向における略中心以外の偶数箇所の領域に近づくように、前記走査手段を制御することを特徴とする請求項１乃至３のいずれか１項に記載の眼科装置。
【請求項６】
前記走査手段は、
前記測定光を主走査方向に走査する第１の走査手段と、
前記第１の走査手段に近接して配置され、前記測定光を副走査方向に走査する第２の走査手段と、を有し、
前記制御手段は、前記平均が前記略中心の座標と一致するように、前記第２の走査手段を制御することを特徴とする請求項１乃至５のいずれか１項に記載の眼科装置。
【請求項７】
前記制御手段は、前記被検眼に対して前記測定光が略３０ｍｓ以内の時間内に照射される複数の主走査線の開始点の座標の平均が、前記副走査方向における略中心の座標と一致するように、前記走査手段を制御することを特徴とする請求項１乃至６のいずれか１項に記載の眼科装置。
【請求項８】
前記平均が前記略中心と一致するように、前記測定光が前記被検眼に照射される前記複数の主走査線の順番を決定する決定手段を更に有し、
前記制御手段が、前記決定された順番で前記測定光を副走査方向に走査するように、前記走査手段を制御することを特徴とする請求項１乃至７のいずれか１項に記載の眼科装置。
【請求項９】
前記制御手段は、
前記走査手段により前記測定光が走査される走査領域を前記副走査方向に沿って略等間隔に偶数個の領域に分割する分割手段を有し、
前記決定手段は、前記分割された領域各々に対して前記複数の主走査線の順番を決定することを特徴とする請求項８に記載の眼科装置。
【請求項１０】
前記制御手段は、前記走査手段を制御して、各走査タイミング毎に、前記分割された領域各々に対して決定された前記開始点からの前記走査を所定時間内に実行させることを特徴とする請求項９に記載の眼科装置。
【請求項１１】
前記分割手段は、
前記走査領域を前記副走査方向に沿って等間隔に２個の領域に分割し、
前記決定手段は、
最初の走査タイミングにおいては、前記略中心から前記副走査方向に沿って最も遠い位置にある走査ラインを前記分割された領域各々における前記開始点としてそれぞれ決定し、それ以降の走査タイミングにおいては、前記領域各々に対して前記副走査方向に沿って互いに近付くように前記開始点を決定することを特徴とする請求項９または１０に記載の眼科装置。  
【請求項１２】
前記分割手段は、
前記走査領域を前記副走査方向に沿って等間隔に４以上の偶数個の領域に分割し、
前記決定手段は、
最初の走査タイミングにおいては、前記分割された全ての領域のうち隣り合う２つの領域間でペアとして関連付け、該ペアとなる領域間の境界から前記副走査方向に沿って最も遠い位置にある走査ラインを該ペアとなる領域各々における前記開始点としてそれぞれ決定し、以降の走査タイミングにおいては、前記ペアとなる領域各々に対して前記領域間の境界に向けて互いに近付くように前記開始点を決定することを特徴とする請求項９または１０に記載の眼科装置。
【請求項１３】
被検眼に対して測定光を走査する走査手段を有する眼科装置の制御方法であって、
前記走査手段の副走査方向における異なる位置の複数の主走査線のうち、前記被検眼に対して前記測定光が時間的に近接して照射される複数の主走査線の開始点の座標の平均が、前記副走査方向における略中心と一致するように、前記走査手段を制御する制御工程
を有することを特徴とする眼科装置の制御方法。
【請求項１４】
前記制御工程における前記走査手段の制御中に前記測定光を照射した前記被検眼からの戻り光に基づいて、前記被検眼の画像を取得する工程を更に有することを特徴とする請求項１３に記載の眼科装置の制御方法。
【請求項１５】
前記画像を取得する工程において、前記制御工程における前記走査手段の制御中に前記測定光を照射した前記被検眼からの戻り光と前記測定光に対応する参照光とを合波した合波光に基づいて、前記被検眼の断層画像を前記画像として取得することを特徴とする請求項１４に記載の眼科装置の制御方法。
【請求項１６】
前記制御工程において、前記平均が前記略中心の座標と一致し且つ前記測定光が前記略中心に近づくように、前記走査手段を制御することを特徴とする請求項１３乃至１５のいずれか１項に記載の眼科装置の制御方法。
【請求項１７】
前記制御工程において、前記平均が前記略中心の座標と一致し且つ前記測定光が前記副走査方向における略中心以外の偶数箇所の領域に近づくように、前記走査手段を制御することを特徴とする請求項１３乃至１５のいずれか１項に記載の眼科装置の制御方法。
【請求項１８】
前記走査手段は、
前記測定光を主走査方向に走査する第１の走査手段と、
前記第１の走査手段に近接して配置され、前記測定光を副走査方向に走査する第２の走査手段と、を有し、
前記制御工程において、前記平均が前記略中心の座標と一致するように、前記第２の走査手段を制御することを特徴とする請求項１３乃至１７のいずれか１項に記載の眼科装置の制御方法。
【請求項１９】
前記制御工程において、前記被検眼に対して前記測定光が略３０ｍｓ以内の時間内に照射される複数の主走査線の開始点の座標の平均が、前記副走査方向における略中心の座標と一致するように、前記走査手段を制御することを特徴とする請求項１３乃至１８のいずれか１項に記載の眼科装置の制御方法。
【請求項２０】
前記平均が前記略中心と一致するように、前記測定光が前記被検眼に照射される前記複数の主走査線の順番を決定する工程を更に有し、
前記制御工程において、前記決定された順番で前記測定光を副走査方向に走査するように、前記走査手段を制御することを特徴とする請求項１３乃至１９のいずれか１項に記載の眼科装置の制御方法。
【請求項２１】
コンピュータに、請求項１３乃至２０のいずれか１項に記載の眼科装置の制御方法の各工程を実行させるためのプログラム。
【手続補正２】
【補正対象書類名】明細書
【補正対象項目名】０００９
【補正方法】変更
【補正の内容】
【０００９】
上記課題を解決するため、本発明の一態様の眼科装置は、被検眼に対して測定光を走査する走査手段と、
前記走査手段の副走査方向における異なる位置の複数の主走査線のうち、前記被検眼に対して前記測定光が時間的に近接して照射される複数の主走査線の開始点の座標の平均が、前記副走査方向における略中心の座標と一致するように、前記走査手段を制御する制御手段と、
を有することを特徴とする。
【手続補正３】
【補正対象書類名】明細書
【補正対象項目名】発明の名称
【補正方法】変更
【補正の内容】
【発明の名称】眼科装置、眼科装置の制御方法およびプログラム
【手続補正４】
【補正対象書類名】明細書
【補正対象項目名】０００１
【補正方法】変更
【補正の内容】
【０００１】
本発明は、眼科装置、眼科装置の制御方法およびプログラムに関する。